(57)【特許請求の範囲】
【請求項１】
所定の口座ごとに現金残高および該口座に関連付けられた電子記録債権の電子記録債権残高を記憶するデータベースと、
ネットワークを介して原簿にアクセスし、前記口座に関連付けられた電子記録債権の情報を読出して前記電子記録債権残高を更新し、該電子記録債権の割引が行われると前記電子記録債権の情報を変更する電子記録債権管理手段と、
前記口座について、所定の時に前記現金残高を超える出金額の出金要求がある場合、前記出金額のうち前記現金残高を超える額を前記電子記録債権残高の電子記録債権の一部を使用して前記出金要求に対応する出金が可能か否かを判定する判定手段と、
前記出金が可能なときは、前記所定の時に前記電子記録債権のうち前記現金残高を超える分だけ前記電子記録債権を分割し割引いて出金処理を実行し、前記データベースを更新する出金手段と
を備えたことを特徴とする口座管理システム。
【請求項２】
前記電子記録債権のうち前記出金のために割引く予定の額を割引予定枠として記憶する予定枠データベースをさらに備え、
前記判定手段は、前記出金要求に対応する出金が可能か否か判定される際に前記予定枠データベースにアクセスして、他の割引予定枠があるときは、該他の予定枠を除いた電子記録債権残高により判定することを特徴とする請求項１に記載の口座管理システム。
【請求項３】
前記出金要求の要求時と前記出金実行時との間のいずれかの時に、前記電子記録債権が劣化しているときは、前記出金額のうち当該劣化した額を前記電子記録債権残高の電子記録債権の別の一部を使用して前記出金要求に対応する出金が可能か否かを判定する確認手段をさらに備え、
前記出金手段は、前記確認手段の判定結果が出金不可のときは前記出金の実行を停止することを特徴とする請求項１または２に記載の口座管理システム。
【請求項４】
前記出金要求の要求時と前記出金実行時との間のいずれかの時に、前記現金残高が減額しているときは、前記出金額のうち当該減額した現金残高を超える額を前記電子記録債権残高の電子記録債権の一部を使用して前記出金要求に対応する出金が可能か否かを判定する現金確認手段をさらに備え、
前記出金手段は、前記現金確認手段の判定結果が出金不可のときは前記出金の実行を停止することを特徴とする請求項１または２に記載の口座管理システム。
【請求項５】
ネットワークを介して顧客端末から前記出金要求を受信し、前記データベースに記憶された残高を送信して前記顧客端末に表示させる顧客通信手段をさらに備えたことを特徴とする請求項１ないし４のいずれかに記載の口座管理システム。
【請求項６】
前記顧客通信手段は、前記出金要求に対応する出金が不可のときは前記顧客端末に警告を送信することを特徴とする請求項５に記載の口座管理システム。
【請求項７】
所定の口座ごとに現金残高および該口座に関連付けられた電子記録債権の電子記録債権残高を記憶するデータベースを備えた口座管理システムの管理方法であって、
ネットワークを介して原簿にアクセスし、前記口座に関連付けられた電子記録債権の情報を読出して前記電子記録債権残高を更新し、該電子記録債権の割引が行われると前記電子記録債権の情報を変更する電子記録債権管理ステップと、
前記口座について、所定の時に前記現金残高を超える出金額の出金要求がある場合、前記出金額のうち前記現金残高を超える額を前記電子記録債権残高の電子記録債権の一部を使用して前記出金要求に対応する出金が可能か否かを判定する判定ステップと、
前記出金が可能なときは、前記所定の時に前記電子記録債権のうち前記現金残高を超える分だけ前記電子記録債権を分割し割引いて出金処理を実行し、前記データベースを更新する出金ステップと
を備えたことを特徴とする方法。
【請求項８】
前記判定ステップは、前記出金要求に対応する出金が可能か否か判定される際に前記電子記録債権のうち前記出金のために割引く予定の額を割引予定枠として記憶する予定枠データベースにアクセスして、他の割引予定枠があるときは、該他の予定枠を除いた電子記録債権残高により判定することを特徴とする請求項７に記載の方法。
【請求項９】
前記出金要求の要求時と前記出金実行時との間のいずれかの時に、前記電子記録債権が劣化しているときは、前記出金額のうち当該劣化した額を前記電子記録債権残高の電子記録債権の別の一部を使用して前記出金要求に対応する出金が可能か否かを判定する確認ステップをさらに備え、
前記出金ステップは、前記確認ステップの判定結果が出金不可のときは前記出金の実行を停止することを特徴とする請求項７または８に記載の方法。
【請求項１０】
前記出金要求の要求時と前記出金実行時との間のいずれかの時に、前記現金残高が減額しているときは、前記出金額のうち当該減額した現金残高を超える額を前記電子記録債権残高の電子記録債権の一部を使用して前記出金要求に対応する出金が可能か否かを判定する現金確認ステップをさらに備え、
前記出金ステップは、前記現金確認ステップの判定結果が出金不可のときは前記出金の実行を停止することを特徴とする請求項７または８に記載の方法。
【請求項１１】
ネットワークを介して顧客端末から前記出金要求を受信し、前記データベースに記憶された残高を送信して前記顧客端末に表示させる顧客通信ステップをさらに備えたことを特徴とする請求項７ないし１０のいずれかに記載の方法。
【請求項１２】
前記顧客通信ステップは、前記出金要求に対応する出金が不可のときは前記顧客端末に警告を送信することを特徴とする請求項１１に記載の方法。
【請求項１３】
所定の口座ごとに現金残高および該口座に関連付けられた電子記録債権の電子記録債権残高を記憶するデータベースを備えた口座管理システムに、管理方法を実行させるプログラムであって、前記方法は、
ネットワークを介して原簿にアクセスし、前記口座に関連付けられた電子記録債権の情報を読出して前記電子記録債権残高を更新し、該電子記録債権の割引が行われると前記電子記録債権の情報を変更する電子記録債権管理ステップと、
前記口座について、所定の時に前記現金残高を超える出金額の出金要求がある場合、前記出金額のうち前記現金残高を超える額を前記電子記録債権残高の電子記録債権の一部を使用して前記出金要求に対応する出金が可能か否かを判定する判定ステップと、
前記出金が可能なときは、前記所定の時に前記電子記録債権のうち前記現金残高を超える分だけ前記電子記録債権を分割し割引いて出金処理を実行し、前記データベースを更新する出金ステップと
を備えたことを特徴とするプログラム。
【請求項１４】
ネットワークを介して所定の口座からの出金要求を送信する顧客端末と、
所定の口座ごとに現金残高および該口座に関連付けられた電子記録債権の電子記録債権残高を記憶するデータベースと、ネットワークを介して原簿にアクセスし、前記口座に関連付けられた電子記録債権の情報を読出して前記電子記録債権残高を更新し、該電子記録債権の割引が行われると前記電子記録債権の情報を変更する電子記録債権管理手段と、前記顧客端末から所定の時に前記現金残高を超える出金額の出金要求を受信した場合、前記出金額のうち前記現金残高を超える額を前記電子記録債権残高の電子記録債権の一部を使用して前記出金要求に対応する出金が可能か否かを判定する判定手段と、前記出金が可能なときは、前記所定の時に前記電子記録債権のうち前記現金残高を超える分だけ前記電子記録債権を分割し割引いて出金処理を実行し、前記データベースを更新する出金手段とを含むサーバと
を備えたことを特徴とする口座管理システム。
【発明の詳細な説明】
【技術分野】
【０００１】
本発明は、口座管理システムおよび方法に関し、より詳細には口座に関連付けて電子記録債権を管理する口座管理システムおよび方法に関する。
【背景技術】
【０００２】
近年、従来の紙の手形に代わり、国から認可を受けた電子債権記録機関が債権者・債務者の名前、支払金額、支払期日などをコンピュータ上で管理し、手形のように譲渡、換金等が可能な電子記録債権が導入された。
【０００３】
電子記録債権は、従来の紙の手形に比し、コンピュータ上で情報を管理するので、紙の手形につきまとった紛失や盗難等のリスクを回避し、また決済期限より前に債権を換金することができるため、企業の資金繰りを円滑にする効果も期待されている。また、電子記録債権は、さらに、その額面での取引に加え、分割して譲渡できるので、必要な額だけ分割して早期に現金化する等柔軟な対応が可能である（例えば、特許文献１参照）。
【先行技術文献】
【特許文献】
【０００４】
【特許文献１】特許第４２０１８２４号公報
【発明の概要】
【発明が解決しようとする課題】
【０００５】
しかしながら、従来のシステムにおいては、所定の口座から送金や振込みなどの出金処理をする場合、出金額の上限はあくまでも口座内の現金の残高が限度になっており、現金残高以上に出金したいときは、何らかの与信を行って借り入れ等を行う必要があるという問題がある。
【０００６】
本発明は、このような問題に鑑みてなされたもので、顧客が電子記録債権の債権者であるときは、電子記録債権を口座に関連付けて管理し、出金の限度額が現金残高を超えるときは、電子記録債権を分割し必要な分の額を割引いて充当することにより柔軟な処理を可能にする口座管理システムおよび方法を提供することを目的とする。
【課題を解決するための手段】
【０００７】
このような目的を達成するために、請求項１に記載の発明は、口座管理システムであって、所定の口座ごとに現金残高および該口座に関連付けられた電子記録債権の電子記録債権残高を記憶するデータベースと、ネットワークを介して原簿にアクセスし、口座に関連付けられた電子記録債権の情報を読出して電子記録債権残高を更新し、電子記録債権の割引が行われると電子記録債権の情報を変更する電子記録債権管理手段と、口座について、所定の時に現金残高を超える出金額の出金要求がある場合、出金額のうち現金残高を超える額を電子記録債権残高の電子記録債権の一部を使用して出金要求に対応する出金が可能か否かを判定する判定手段と、出金が可能なときは、所定の時に電子記録債権のうち現金残高を超える分だけ電子記録債権を分割し割引いて出金処理を実行し、データベースを更新する出金手段とを備えたことを特徴とする。
【０００８】
請求項２に記載の発明は、請求項１に記載の口座管理システムにおいて、電子記録債権のうち出金のために割引く予定の額を割引予定枠として記憶する予定枠データベースをさらに備え、判定手段は、出金要求に対応する出金が可能か否か判定される際に予定枠データベースにアクセスして、他の割引予定枠があるときは、他の予定枠を除いた電子記録債権残高により判定することを特徴とする。
【０００９】
請求項３に記載の発明は、請求項１または２に記載の口座管理システムにおいて、出金要求の要求時と出金実行時との間のいずれかの時に、電子記録債権が劣化しているときは、出金額のうち劣化した額を電子記録債権残高の電子記録債権の別の一部を使用して出金要求に対応する出金が可能か否かを判定する確認手段をさらに備え、出金手段は、確認手段の判定結果が出金不可のときは出金の実行を停止することを特徴とする。
【００１０】
請求項４に記載の発明は、請求項１または２に記載の口座管理システムにおいて、出金要求の要求時と出金実行時との間のいずれかの時に、現金残高が減額しているときは、出金額のうち減額した現金残高を超える額を電子記録債権残高の電子記録債権の一部を使用して出金要求に対応する出金が可能か否かを判定する現金確認手段をさらに備え、出金手段は、現金確認手段の判定結果が出金不可のときは出金の実行を停止することを特徴とする。
【００１１】
請求項５に記載の発明は、請求項１ないし４のいずれかに記載の口座管理システムにおいて、ネットワークを介して顧客端末から出金要求を受信し、データベースに記憶された残高を送信して顧客端末に表示させる顧客通信手段をさらに備えたことを特徴とする。
【００１２】
請求項６に記載の発明は、請求項５に記載の口座管理システムにおいて、顧客通信手段は、出金要求に対応する出金が不可のときは顧客端末に警告を送信することを特徴とする。
【００１３】
請求項７に記載の発明は、所定の口座ごとに現金残高および口座に関連付けられた電子記録債権の電子記録債権残高を記憶するデータベースを備えた口座管理システムの管理方法であって、ネットワークを介して原簿にアクセスし、口座に関連付けられた電子記録債権の情報を読出して電子記録債権残高を更新し、電子記録債権の割引が行われると電子記録債権の情報を変更する電子記録債権管理ステップと、口座について、所定の時に現金残高を超える出金額の出金要求がある場合、出金額のうち現金残高を超える額を電子記録債権残高の電子記録債権の一部を使用して出金要求に対応する出金が可能か否かを判定する判定ステップと、出金が可能なときは、所定の時に電子記録債権のうち現金残高を超える分だけ電子記録債権を分割し割引いて出金処理を実行し、データベースを更新する出金ステップとを備えたことを特徴とする方法。
【００１４】
請求項８に記載の発明は、請求項７に記載の方法において、判定ステップは、出金要求に対応する出金が可能か否か判定される際に電子記録債権のうち出金のために割引く予定の額を割引予定枠として記憶する予定枠データベースにアクセスして、他の割引予定枠があるときは、他の予定枠を除いた電子記録債権残高により判定することを特徴とする。
【００１５】
請求項９に記載の発明は、請求項７または８に記載の方法において、出金要求の要求時と出金実行時との間のいずれかの時に、電子記録債権が劣化しているときは、出金額のうち劣化した額を電子記録債権残高の電子記録債権の別の一部を使用して出金要求に対応する出金が可能か否かを判定する確認ステップをさらに備え、出金ステップは、確認ステップの判定結果が出金不可のときは出金の実行を停止することを特徴とする。
【００１６】
請求項１０に記載の発明は、請求項７または８に記載の方法において、出金要求の要求時と出金実行時との間のいずれかの時に、現金残高が減額しているときは、出金額のうち減額した現金残高を超える額を電子記録債権残高の電子記録債権の一部を使用して出金要求に対応する出金が可能か否かを判定する現金確認ステップをさらに備え、出金ステップは、現金確認ステップの判定結果が出金不可のときは出金の実行を停止することを特徴とする。
【００１７】
請求項１１に記載の発明は、請求項７ないし１０のいずれかに記載の方法において、ネットワークを介して顧客端末から出金要求を受信し、データベースに記憶された残高を送信して顧客端末に表示させる顧客通信ステップをさらに備えたことを特徴とする。
【００１８】
請求項１２に記載の発明は、請求項１１に記載の方法において、顧客通信ステップは、出金要求に対応する出金が不可のときは顧客端末に警告を送信することを特徴とする。
【００１９】
請求項１３に記載の発明は、所定の口座ごとに現金残高および口座に関連付けられた電子記録債権の電子記録債権残高を記憶するデータベースを備えた口座管理システムに、管理方法を実行させるプログラムであって、方法は、ネットワークを介して原簿にアクセスし、口座に関連付けられた電子記録債権の情報を読出して電子記録債権残高を更新し、電子記録債権の割引が行われると電子記録債権の情報を変更する電子記録債権管理ステップと、口座について、所定の時に現金残高を超える出金額の出金要求がある場合、出金額のうち現金残高を超える額を電子記録債権残高の電子記録債権の一部を使用して出金要求に対応する出金が可能か否かを判定する判定ステップと、出金が可能なときは、所定の時に電子記録債権のうち現金残高を超える分だけ電子記録債権を分割し割引いて出金処理を実行し、データベースを更新する出金ステップとを備えたことを特徴とする。
【００２０】
請求項１４に記載の発明は、口座管理システムであって、ネットワークを介して所定の口座からの出金要求を送信する顧客端末と、所定の口座ごとに現金残高および該口座に関連付けられた電子記録債権の電子記録債権残高を記憶するデータベースと、ネットワークを介して原簿にアクセスし、口座に関連付けられた電子記録債権の情報を読出して電子記録債権残高を更新し、電子記録債権の割引が行われると電子記録債権の情報を変更する電子記録債権管理手段と、顧客端末から所定の時に現金残高を超える出金額の出金要求を受信した場合、出金額のうち現金残高を超える額を電子記録債権残高の電子記録債権の一部を使用して出金要求に対応する出金が可能か否かを判定する判定手段と、出金が可能なときは、所定の時に電子記録債権のうち現金残高を超える分だけ電子記録債権を分割し割引いて出金処理を実行し、データベースを更新する出金手段とを含むサーバとを備えたことを特徴とする。
【発明の効果】
【００２１】
以上説明したように、本発明によれば、所定の口座ごとに現金残高および該口座に関連付けられた電子記録債権の電子記録債権残高を記憶するデータベースと、ネットワークを介して原簿にアクセスし、口座に関連付けられた電子記録債権の情報を読出して電子記録債権残高を更新し、電子記録債権の割引が行われると電子記録債権の情報を変更する電子記録債権管理手段と、口座について、所定の時に現金残高を超える出金額の出金要求がある場合、出金額のうち現金残高を超える額を電子記録債権残高の電子記録債権の一部を使用して出金要求に対応する出金が可能か否かを判定する判定手段と、出金が可能なときは、所定の時に電子記録債権のうち現金残高を超える分だけ電子記録債権を分割し割引いて出金処理を実行し、データベースを更新する出金手段とを備えたことにより、柔軟な処理を可能とする。
【図面の簡単な説明】
【００２２】
【図１】本実施形態の全体システムを示すブロック図である。
【図２】本実施形態の処理全体の流れを示す図である。
【図３】本実施形態の振込み予約設定処理の流れを示すフローチャートである。
【図４】本実施形態の振込予約設定後の定期処理のフローチャートである。
【図５】本実施形態の振込予約設定後の定期処理のフローチャートである。
【図６】本実施形態の振込当日の処理のフローチャートである。
【図７】本実施形態の振込実行時の処理のフローチャートである。
【図８】本実施形態の処理全体の流れを説明するための図である。
【図９】本実施形態の顧客端末の一例を示す図である。
【図１０】本実施形態の顧客端末の一例を示す図である。
【図１１】本実施形態の顧客端末の一例を示す図である。
【発明を実施するための形態】
【００２３】
以下、図面を参照しながら本発明の実施形態について詳細に説明する。  
（本実施形態の構成）
図１は、本実施形態の全体システムを示すブロック図である。図１を参照すると、不図示の顧客端末は、インターネット等のネットワークを経由してウェブサーバ１０１に接続されており、顧客は顧客端末を通して本システムが提供する種々のサービスを受ける。具体的には、通常の情報提供、口座の開設、パスワードの設定、業務処理の依頼等が含まれるがこれに限られない。
【００２４】
本実施形態で、為替処理サーバ１０２は、主に顧客端末を通してアクセスしてきた顧客の口座に関わるさまざまな処理について、顧客端末からの要求をウェブサーバ１０１を介して受信し、でんさいネット１１１や全銀ネット１１０を介して種々のデータベースにアクセスしつつ関連する処理を実行し、処理結果や必要な情報を顧客端末に送信するが、これらのデータベース、ネットワークの詳細は当業者であれば理解できるので、ここでは本実施形態の説明に必要な範囲でのみ触れる。本実施形態では、でんさいネット１１１を介して得られた情報に基づき電子記録債権明細１０３を更新して電子記録債権の残高などを管理する。
【００２５】
さらに、為替処理サーバ１０２は、勘定系サーバ１０４を介して預金元帳データベース１０６、および予定枠データベースである融資データベース１０５内の、処理要求をしている顧客に関する情報を取得し、為替処理の実行の際に使用するが、これらのデータベース並びにデータベースの管理されているデータおよびその処理についての詳細は当業者であれば理解できるのでここでは省略する。以上のように本実施形態では、顧客の口座について従来からの現金の管理だけでなく、予めその口座に関連付けられた電子記録債権の管理もあわせて行う。
【００２６】
なお、本実施形態の顧客端末、各種サーバはプロセッサ、メモリ等を備えた通常のコンピュータであって、ネットワークに接続するための機能のほか、必要に応じて記憶装置や、ＬＣＤなどの表示装置、あるいはキーボードやマウスなどの入力機器を備えるが、これに限られず本技術分野で知られたさまざまなハードウェアを内蔵あるいは接続することができる。また、以上のような顧客端末や各種サーバにはＯＳやさまざまなドライバーまたはアプリケーションがインストールされ、本実施期待で後述する種々の処理を全体として実行する。
【００２７】
（本実施形態の処理）
次に、図２を参照して本実施形態の為替処理、具体的には対象となる顧客の口座から、他の口座に対する振込処理について概説し、その後図３ないし７を参照して詳説する。
【００２８】
図２を参照して本実施形態の処理の概略を説明すると、まず顧客が顧客端末（図示せず）を通して振込依頼を指示すると、為替処理サーバ１０２が起動され、預金元帳データベース１０６により、対象の口座の現金残高を確認し、融資データベース１０５で現時点の対象口座に関連付けられた電子記録債権の割引可能枠および割引条件を確認し、電子記録債権システム１０３により電子記録債権を特定して、必要な分の電子記録債権の分割を行い、その電子記録債権を割引いて振込処理に使用する。以上の処理により、顧客端末から口座の現金残高を超える額の振込要求があったときでも、その口座に関連付けられた電子記録債権があるときは、それを割引くことにより、別途貸付等を行うことなく、指示された振込みを正常に実行することができる。
【００２９】
ここで、振込に使用する電子記録債権は予め、対象となる顧客の口座に関連付けられているが、このような電子記録債権は例えば図９ないし１１に示すような顧客端末（不図示）の画面から設定、管理することができる。すなわち、図９に示す譲渡記録請求の画面により、電子記録債権に対する処理を行うことができる。図１０は承認用の画面であり、図１１は電子記録債権の状態を確認するための画面である。
【００３０】
図３ないし７を参照して、本実施形態の処理の詳細を説明する。ここで、本実施形態では期日を指定しての振込処理を想定し、図３では処理の依頼を受けてからは、振込みをするための準備（振込予約の設定）までを説明し、図４および５では、振込予約後、振込実行まで定期的に実行される処理（定期処理）について説明する。すなわち、振込予約が設定されてから実際に指定された指定日に振込みを行うまでは口座の状態が大きく変動する可能性があるので、定期的にチェックを行い、最初に設定した予定と異なる状態になったときは、相応の必要な処理を実行する必要がある。このような処理を図４および５のフローチャートを参照して説明し、最後に振込指定日の当日の処理は図５および６を参照して説明する。
【００３１】
（振込予約の設定の処理）
図３を参照して説明すると、為替処理サーバ１０２が顧客端末（不図示）から振込予約依頼を受信すると（Ｓ３０１）、その顧客の指定する口座の現金残高を確認し（Ｓ３０２）、現金残高が指定された振込額以上か否かを判定し（Ｓ３０３）、以上であれば現金のみで、指示された振込が賄えるので、振込の予約を行って処理を終了する（Ｓ３０４）。
【００３２】
口座の現金残高が振り込み額に対して不足しているときは、割引可能枠および条件を融資データベース１０５にアクセスして確認し（Ｓ３０５）、利用可能な枠があり（Ｓ３０６）、その枠を利用するときは（Ｓ３０８）、現金残高だけでは不足する額を利用予定額として指定して（Ｓ３１０）、電子記録債権明細データベース１０３を確認する（Ｓ３１１）。割引可能枠がない、または電子記録債権を利用する意思がないときは、アラートを顧客端末に報知して（Ｓ３０７）、振込実行日までに不足分を調達可能でない限り振込処理を中止し（Ｓ３１８）、その旨顧客端末に送信するなど必要な処理を行う（Ｓ３１９）。振込予定日までに、不足分の調達が可能であれば、振込みを予約して終了する（Ｓ３１６、Ｓ３１７）。
【００３３】
ステップＳ３０８において、不足額を電子記録債権で充当しようとするときは、電子記録債権明細データベース１０３を確認し（Ｓ３１１）、割引条件に合致する電子記録債権として不足額を充当するだけの額の電子記録債権があるか否か判定し（Ｓ３１２）、不足分を賄うだけの電子記録債権があるときは、使用する電子記録債権を選択し（Ｓ３１３）、割引予定額をホールドして（Ｓ３１４）処理を終了する（Ｓ３１５）。これにより、今後別の振込処理など、電子記録債権の割引をする可能性のある処理を実行するときも、ホールドされた電子記録債権は以降の処理で使用することができないよう予定枠として維持されることとなる。
【００３４】
ステップＳ３１２において、不足額を充当するだけの額の電子記録債権がないと判定されたときは、アラートを顧客端末に報知して（Ｓ３２０）、振込実行日までに不足分を調達可能でないときは現金残高だけでは不足する額を利用予定額として再度指定して（Ｓ３２６）、ステップＳ３１１移行し、電子記録債権明細データベース１０３を確認する。電子記録債権に割り当てられなかった不足分を振込予定日までに調達可能なときは（Ｓ３２２）、現時点で割り当て可能な電子記録債権を選択し（Ｓ３２３）、割引予定額をホールドして（Ｓ３２４）処理を終了する（Ｓ３２５）。
【００３５】
以上により、振込予約の設定の処理、すなわち振込みの要求があったときの設定処理を終了する。
【００３６】
（振込予約設定後の定期処理）
通常の取引において、一旦振込予約の設定を行っても、その前提となる口座の現金残高自体が、他の処理で使用されたりして振り込み実行時までに減額してしまうことがあるほか、電子記録債権についても額面はホールドしても、電子記録債権の劣化等により実質上不足額を賄うことができない事態となることがある。本定期処理は、このような事態を未然に防ぎ、電子記録債権を再選択したり、顧客に更なる調達の可能性を確認したりして、可能な限り振込の実行を確実にする。もちろん、いずれの対応策も失敗したときは、アラートを出して事前に顧客に知らせることができる。
【００３７】
図４を参照して定期処理を説明すると、振込みの依頼から実際の振込実行日までの任意の日時に定期的にあるいはランダムに口座および電子記録債権の状態を確認し、利用する予定の電子記録債権の選択に変更が必要になる等、再処理のトリガーになる事態が確認されると、必要な処理を適宜行う。そうでないとき、すなわち口座および電子記録債権の状態を確認してもトリガーとなるべき事象が発生していないときは（Ｓ４０２）、特に処理は行わずに終了する。ここで、定期処理を実行するタイミングは、各システムごとの事情により種々設定できるが、たとえば、通常は１日に１回程度と考えられるが、振込予約の指定日が先の場合は数日に１回等にすることもでき、逆に１日に数回、本定期処理を実行することもできる。
【００３８】
本実施形態の振込処理において、トリガーとしては、振込予約設定時から口座の現金残高が減額して、振り込み予定額を割り込んだ場合、および割り当てた電子記録債権の劣化が発生した場合がある。図４のフローチャートは、主に現金残高が割り込んだ場合の処理を、図５のフローチャートは電子記録債権が劣化したときの処理を示す。
【００３９】
図４を参照すると、現金残高が減額した場合（Ｓ４０４）、割引可能枠および条件を融資データベース１０５にアクセスして確認し（Ｓ４０６）、利用可能な枠があるときは（Ｓ４０７）、電子記録債権明細データベース１０３を確認する（Ｓ４０８）。割引可能枠がないときは、アラートを顧客端末に報知して（Ｓ４１３）、振込実行日までに不足分を調達可能でない限り振込処理を中止し（Ｓ４１７）、その旨顧客端末に送信するなど必要な処理を行う（Ｓ４１８）。振込予定日までに、不足分の調達が可能であれば、振込予約維持操作を行って、振込予約を維持する（Ｓ４１５、Ｓ４１６）。
【００４０】
ステップＳ４０７において、不足額を電子記録債権で充当しようとするときは、電子記録債権明細データベース１０３を確認し（Ｓ４０８）、割引条件に合致する電子記録債権として不足額を充当するだけの額の電子記録債権があるか否か判定し（Ｓ４０９）、不足分を賄うだけの電子記録債権があるときは、使用する電子記録債権を再選択し（Ｓ４１０）、割引予定額をホールドして（Ｓ４１１）、振込予約を維持し処理を終了する（Ｓ４１６）。以上により、現金残高が割り込んだ場合の定期処理を終了する。
【００４１】
次に、図５を参照して、図４のトリガーが電子記録債権劣化である場合について説明する。振込みの不足分に使用する予定の電子記録債権の劣化が発生すると（Ｓ５０１）、顧客端末にアラートを送信し（Ｓ５０２）、一旦、振込予約設定でホールドした電子記録債権のホールドを解除し、割引予定のフラグも解除しておき（Ｓ５０３、Ｓ５０４）、改めて電子記録債権明細データベース１０３を確認する（Ｓ５０５）。電子記録債権劣化を補うことが可能な割引可能枠がないときは、アラートを顧客端末に報知して（Ｓ５１０）、振込実行日までに不足分を調達可能でない限り振込処理を中止し（Ｓ５１４）、その旨顧客端末に送信するなど必要な処理を行う（Ｓ５１５）。振込予定日までに、不足分の調達が可能であれば、振込予約維持操作を行って、振込予約を維持する（Ｓ５１２、Ｓ５１３）。
【００４２】
ステップＳ５０６において、電子記録債権劣化を電子記録債権の追加割り当てで補おうとするときは、使用する電子記録債権を追加で選択し（Ｓ５０７）、割引予定額を再度ホールドして（Ｓ５０８）、振込予約を維持し処理を終了する（Ｓ５０９）。
【００４３】
（振込予約日の処理）
次に、図６および図７を参照して振込実行日の処理（Ｓ６０１）を説明する。ここで、図６のフローチャートは振込当日の全体の処理を示し、図７のフローチャートは振込当日の特に電子記録債権に関する処理を示す。
【００４４】
まず、図６を参照し、振込依頼で指定された期日になると、振込実行に先立って現金残高が減額していないかどうかの確認を行い（Ｓ６０２）、減額していて割引予定枠の変更が必要な場合は、電子記録債権の状態をチェックして追加の割引が可能であれば追加の処理を行うが、現金残高が減額されていない場合は、割引予定額および割引条件を確認して図７に示す割引処理へ進む（Ｓ６０８）。
【００４５】
ステップＳ６０３において割引予定枠の変更が必要な場合、減額が必要か増額が必要か判定し（Ｓ６０４）、減額が必要なときは、一旦割引予定枠のホールドを解除し（Ｓ６０５）割引対象となる電子記録債権を再選択して（Ｓ６０７）、図７に示す割引処理へ進む。増額が必要なときは（Ｓ６０９）、予定枠のホールドを解除し（Ｓ６１０）、割引可能枠および条件を融資データベース１０５にアクセスして確認し（Ｓ６１１）、利用可能な枠があるときは（Ｓ６１２）、電子記録債権明細データベース１０３を確認する（Ｓ６１３）。割引可能枠がないときは、振込みを中止し（Ｓ６１５）、その旨顧客端末に送信するなど必要な処理を行う（Ｓ６１６）。
【００４６】
ステップＳ６１２において、不足額を電子記録債権で充当しようとするときは、電子記録債権明細データベース１０３を確認し（Ｓ６１３）、割引条件に合致する電子記録債権として不足額を充当するだけの額の電子記録債権があるか否か判定し（Ｓ６１４）、不足分を賄うだけの電子記録債権があるときは、使用する電子記録債権を再選択して、図７に示す割引処理へ進む。不足分を賄うだけの電子記録債権があるときは、振込みを中止し（Ｓ６１７）、その旨顧客端末に送信するなど必要な処理を行う（Ｓ６１８）。
【００４７】
次に、図７を参照して電子記録債権の割引処理について説明する。本実施形態では、振込に当たり割引が必要な電子記録債権の額が補充に必要な額よりも少ない場合は、電子記録債権全部を割引くと本来割引く必要のない分まで割引くことになるため、まず必要な額だけ分割し、分割された電子記録債権を割引く。すなわち、分割が必要か否か判定し（Ｓ７０１）、必要な場合は必要な額に合わせて分割を実行すると（Ｓ７０２）、電子記録債権システムからでんさいネットに接続し、原簿に分割を記録する（Ｓ７０３）。次に、各電子記録債権について割引を実行すると（Ｓ７０４）、同様にでんさいネットを介して原簿に譲渡が記録される。
【００４８】
必要な電子記録債権の割引が終了すると、口座に現金として入金され（Ｓ７０６）、もともとあった現金とともに指定口座に振込みが行われる（Ｓ７０７）
【００４９】
（本実施形態の実施例）
以上で、本実施形態の処理の説明を終了するが、この具体例を図８を参照して説明する。図８を参照すると、取引開始前は左の口座情報８０１が示すような口座の電子記録債権（債権金額  10,000円、50,000円、300,000円、140,000円）の状態から、振込画面８０３に示すように現金も含め１２０万円の振込みを処理を行う。本実施例では、現金残高が１００万円であるとして、振込額である１２０万円のうち１００万円は現金で賄われ、残りの２０万円が電子記録債権で補充される。
【００５０】
具体的には、現時点で残っている電子記録債権（口座情報８０１）のうち本実施例では、１万円、５万円および３０万円の電子記録債権を使用するものとすると、まずは、これらの電子記録債権を割引予定債権として予約し、予定枠としては１万円および５万円の全部並びに３０万円のうちの１５万円を設定し、予定枠をホールドしておく（振込予約の設定）。すなわち、本実施形態では割引可能枠および割引条件が融資データベース１０５に記憶されており、使用可能な電子記録債権が複数存在する場合は、融資データベース１０５に記憶された条件に基づいてどの電子記録債権をどれだけ割引くかを決め、予定枠の設定を行う。本実施例では、１万円、５万円および３０万円の電子記録債権を優先的に割引予定債権として予約するという条件であったが、この条件は予め種々に設定することができる。例えば、支払期日が最も近い電子記録債権を優先する、あるいは債務者の信用度に応じて優先度を設けるといった設定ができるが、これに限られない。
【００５１】
上述のように振込み指定日までは、定期的に電子記録債権や現金残高の状態を確認しておき、特に状態が変化することなく振込指定日を迎えると、予定枠どおりに振込処理を実行する。すなわち、予定枠のホールドの解除を行い、３０万円の電子記録債権を分割し、１５万円の電子記録債権と１５万円の電子記録債権として、その後どちらかの１５万円の電子記録債権のみ割引いて、もともとの現金１００万円とともに振込処理に使用する。
【００５２】
このような処理の結果、口座で管理される電子記録債権の口座情報８０２のような状態となり、電子記録債権としては１５万円の電子記録債権および１４万円の電子記録債権が残ることとなる。
【００５３】
以上により、本実施形態では口座により電子記録債権も管理するシステムを用いて、振込処理を行う場合を想定して本発明の実施態様を説明したが、振込みに限らず、本発明の口座管理システムおよび方法は、様々な口座に関連する取引の処理に用いることができ、その結果、顧客が電子記録債権のような電子記録債権の債権者であるときは、電子記録債権を口座に関連付けて管理し、出金の限度額が現金残高を超えるときは、電子記録債権を分割し必要な分の額を割引いて充当することにより柔軟な処理を可能にすることができる。
【図１】
0005274632.tif 000002
【図２】
0005274632.tif 000003
【図３】
0005274632.tif 000004
【図４】
0005274632.tif 000005
【図５】
0005274632.tif 000006
【図６】
0005274632.tif 000007
【図７】
0005274632.tif 000008
【図８】
0005274632.tif 000009
【図９】
0005274632.tif 000010
【図１０】
0005274632.tif 000011
【図１１】
0005274632.tif 000012